(57)【要約】【課題】浴室に使用される換気暖房機において、ルーバーにカビが発生しにくいルーバー構造を提供することを目的とする。【解決手段】ルーバー１２には、中央部を下側に膨出させた湾曲面で形成されるルーバー下面１５を前記本体１の下部開口部を覆うように形成し、前記ルーバー下面１５には吹出口としてヒーターユニット用開口部１６をヒーターユニット枠体１７との間に隙間が生じるように設けるとともに、前記ルーバー下面１５と前記本体１との間には天井側に向かって突出した四角枠状に形成されるルーバー枠１８が構成してあり、前記ルーバー枠１８が本体１の下端となるフランジ部１０に接してルーバー下面１５との間を塞ぐことにより、天井面にルーバー外周枠が被らずに天井面とルーバーとの間で略密封空間が形成されないルーバーを得られる。【選択図】図４
2006038245.tif 000002
【特許請求の範囲】
【請求項１】
浴室の天井裏に配置され側面に排気口を備えた本体と、
この本体内に設けられる換気送風手段、循環送風手段、および発熱手段と、
前記本体の下部に形成される本体開口を覆い前記浴室側に露出して設けられ、前記本体開口に向かい合う位置にある下面を有し、この下面側から下面外周枠より内側で天井に向かって突出して前記下面と前記天井面との間をふさぐように四角枠状に形成されるルーバー枠を有するルーバーとを備える構成とした浴室用換気暖房機。
【請求項２】
前記循環送風手段より前記発熱手段で加熱された空気を前記浴室内に吹き出すために前記ルーバーの前記下面に設けられる吹出口と、
前記換気送風手段および前記循環送風手段によって強制的に前記浴室内の空気を吸い込むために前記ルーバーの前記ルーバー枠に開口して設けられる吸込口とを
備える構成とした請求項１に記載の浴室用換気暖房機。
【請求項３】
前記ルーバーの下面は、その中央側を下方に膨出させ、側方側を天井面に近づける湾曲面を形成する構成とするとともに、ルーバー枠の下端部は中央側から側方にかけて天井面に連続的に近づけるように湾曲させる構成とし、前記吸込口の開口の高さ寸法を前記ルーバー枠の側方よりも中央側を大きく形成する構成とした、請求項２に記載の浴室用換気暖房機。
【請求項４】
前記本体の一方側に前記発熱手段を配置し他方側に循環送風手段と換気送風手段を配置するとともに、前記循環送風手段と前記換気送風手段を配置する側に対応するように前記ルーバー枠に吸込口を設けた構成とする請求項２または３記載の浴室用換気暖房機。
【請求項５】
前記本体と前記ルーバーはねじによって固定され、前記本体開口のほぼ中心部にルーバー保持手段を設けるとともに、前記ルーバー保持手段に対応して、ルーバーのほぼ中央部に前記ルーバーの下面から本体側へ突出するガイド部を設けた構成とする請求項１〜４のいずれかに記載の浴室用換気暖房機。
【請求項６】
前記発熱手段を配置した本体の一方側に対応する前記ルーバーの部位に、前記発熱手段の下端部が挿通する開口を設け、前記ルーバーを設置したときに前記発熱手段の下端部を前記ルーバーの下面から突出させた構成とする請求項４に記載の浴室用換気暖房機。
【請求項７】
前記ルーバー保持手段は第一の保持部と斜め案内面と第二の保持部とで構成される請求項５または６に記載の浴室用換気暖房機。
【請求項８】
前記本体は本体開口の周囲に天井面への取り付け用のフランジ部を有し、前記ルーバーの本体開口に向かい合う下面の外周縁が前記ルーバー枠よりも外方に突出しているとともに前記フランジ部よりも外方に突出している請求項１〜３のいずれかに記載の浴室用換気暖房機。
【発明の詳細な説明】
【技術分野】
【０００１】
本発明は、浴室の暖房と換気を行う浴室用換気暖房機に関するものである。
【背景技術】
【０００２】
従来、この種の浴室暖房機は、既に種々考案されているが、例として特許文献１（特開２００１−２０８４１３号公報）のものが知られている。以下、その浴室用換気暖房機について図５参照しながら説明する。
【０００３】
図５のように、この種の浴室換気暖房機１０１は断面図で示されている。この浴室換気暖房機１０１は、浴室換気暖房機本体１０２及びルーバー１０３によって構成されている。前記浴室換気暖房機本体１０２にあっては、下面側を開口したケーシング１０４の内部に循環用ファン収納部１０５と換気ファン収納部１０６とが設けられており、ケーシング１０４の下端部外周にはフランジ１０７が周設されている。前記循環用ファン収納部１０５の下部には送風路本体１０８が連続的に形成されており、送風路本体１０８には送風路摺動部１０９がスライド自在に接続され、固定された送風路本体１０８とスライド可能な送風路摺動部１０９とによって伸縮自在な送風路１１０が構成されている。また、循環用ファン収納部１０５内には、循環用送風機１１１が設置されており、前記循環用ファン収納部１０５の吸引側には熱交換器１１２が設けられており、空気を加熱している。
【０００４】
換気ファン収納部１０６内には換気用送風機１１３が納められており、前記換気用送風機１１３の吹き出し方向には、ケーシング１０４に排気口１１４が開口されている。
【０００５】
さらに上記浴室換気暖房機本体１０２の下面側にあって、前記循環用ファン収納部１０５の空気流入部１１５となる部位には前記ルーバー１０３に循環吸込口１１６が形成され、また前記換気ファン収納部１０６の空気流入部１１８となる部位には前記ルーバー１０３に換気吸込口１１９が形成されるとともに、送風路１１０の空気吹出部１２０となる部位には前記ルーバー１０３に換気吸込口１２１が形成されている。
【０００６】
このような構成で、浴室換気暖房機は浴室天井内に設置され、天井板をはさんでルーバーが本体に固定されて据え付けられている。
【特許文献１】特開２００１−２０８４１３号公報（第４−７頁、第５図）
【発明の開示】
【発明が解決しようとする課題】
【０００７】
このような従来の浴室換気暖房機では、天井面にルーバーの外周枠を充てて機器を設置しており、一般的にはルーバーは一枚板で製作しないので、ルーバー内部には空間があり、天井部分にルーバーの外周枠をあてることで天井とルーバーで囲われた空間が形成される。この部分には浴室のシャワー使用等で発生した蒸気や水分が浸入し、高湿度の空気が抜けにくいことによりカビが発生しやすいという課題があり、カビの生えにくいルーバーが要望されている。
【０００８】
本発明は、このような従来の課題を解決するものであり、ルーバー付近のカビの発生を低減することができる浴室換気暖房機を提供することを目的としている。
【課題を解決するための手段】
【０００９】
本発明の浴室換気暖房機は上記目的を達成するために、ルーバーを浴室換気暖房機の本体開口を覆い浴室側に露出して設け、前記ルーバーには本体開口に向かい合う下面を有するとともに、この下面側から天井に向かって突出して前記下面と前記天井面との間をふさぐように四角枠状に形成されるルーバー枠を有するものとしたものである（請求項１）。
【００１０】
この手段により、ルーバー枠の端面即ち稜線が天井面に接し、ルーバー枠の内側は本体とで内部空間を構成することになるので、天井面とルーバー間に空間が形成されず、この部分に蒸気や水分が浸入し、高湿度の空気が抜けにくいことを解決できる浴室換気暖房機が得られる。
【００１１】
また、本発明の浴室換気暖房機は上記目的を達成するために、換気送風手段および循環送風手段によって強制的に前記浴室内の空気を吸い込むための吸込口を前記ルーバーの前記ルーバー枠に開口して設けたものである（請求項２）。
【００１２】
この手段により、循環送風手段を運転すると、発熱手段で加熱された空気はルーバー下面の吹出口から浴室内に吹き出し、拡散して浴室の壁面に沿って上昇する。上昇した空気は天井面に達し、天井近傍に位置する吸込口から循環送風手段に戻るので、浴室内をほぼ循環する気流が構成する浴室換気暖房機が得られる。
【００１３】
また、本発明の浴室換気暖房機は上記目的を達成するために、ルーバーの下面を、その中央側を下方に膨出させ、側方側を天井面に近づける湾曲面を形成する構成とするとともに、ルーバー枠の下端部は中央側から側方にかけて天井面に連続的に近づけるように湾曲させる構成とし、前記吸込口のその開口の高さ寸法を前記ルーバー枠の側方よりも中央側を大きく形成する構成としたものである（請求項３）。
【００１４】
この手段により、湾曲面はルーバーの強度を上げ、かつ、その湾曲方向を中央側において下方に膨出した形状となるので、湾曲する面と直交する面においてルーバー枠の開口部を中央部で大きく形成でき、循環送風手段ならびに換気送風手段に効率的な風路となる吸込口を形成する浴室換気暖房機が得られる。
【００１５】
また、本発明の浴室換気暖房機は上記目的を達成するために、本体の一方側に発熱手段を配置し他方側に循環送風手段と換気送風手段と配置するとともに、前記循環送風手段と換気送風手段を配置する側に対応するようにルーバー枠に吸込口を設けた構成としたものである（請求項４）。
【００１６】
この手段により、循環送風手段と換気送風手段に対応して吸込口が形成され、循環送風手段ならびに換気送風手段に効率的な風路となる吸込口を形成する浴室換気暖房機が得られる。
【００１７】
また、本発明の浴室換気暖房機は上記目的を達成するために、本体部とルーバーをねじによって固定し、前記本体の開口部のほぼ中心部にルーバー保持手段を設けるとともに、前記ルーバー保持手段に対応して、ルーバーのほぼ中央部に前記ルーバーの下面から突出するガイド部を設けた構成としたものである（請求項５）。
【００１８】
この手段により、ガイド部をルーバー保持手段に引っ掛けることで、ルーバーを保持でき、ガイド部によってルーバーがほぼ本体取り付け位置に合致する状態となる浴室用換気暖房機が得られる。
【００１９】
また、本発明の浴室換気暖房機は上記目的を達成するために、前記発熱手段を配置した本体の一方側に対応する前記ルーバーの部位に、前記発熱手段の下端部が挿通する開口を設け、前記ルーバーを設置したときに前記発熱手段の下端部を前記ルーバーの下面から突出させた構成としたものである（請求項６）。
【００２０】
この手段により、開口部によってルーバーと発熱手段部が分離され、発熱部からの熱伝導や発熱体からの熱輻射の影響をルーバーが受けにくい浴室用換気暖房機が得られる。
【００２１】
また、本発明の浴室換気暖房機は上記目的を達成するために、ルーバー保持手段は第一の保持部と斜め案内面と第二の保持部で構成するものとしたものである（請求項７）。
【００２２】
この手段により、第一の保持部にルーバーをまず装着し、つづけてガイドを斜め案内面に沿って上方にスライドさせると、発熱手段の下端部を回避するように第二の保持部に装着されて、ルーバーがほぼ本体取り付け位置に合致する状態となる浴室用換気暖房機が得られる。
【００２３】
また、本発明の浴室換気暖房機は上記目的を達成するために、本体は下部開口側に天井面への取り付け用のフランジ部を有し、前記ルーバーの本体開口に向かい合う下面の面積が、前記ルーバー枠で囲われて形成される面積よりも大きくするとともに、上記したフランジ部で囲われて形成される面積よりも大きくしたものである（請求項８）。
【００２４】
この手段により、ルーバー下面の周辺が突出するので、ルーバー枠に結露した水滴が壁面に沿って滴下してもルーバーで仮受けができ、また突出部分が遮蔽となってルーバー枠と本体または天井部の接続部が見えにくい浴室用換気暖房機が得られる。
【発明の効果】
【００２５】
本発明によれば天井面とルーバー間に空間が形成されずこの部分にカビが発生しにくいという効果のある浴室換気暖房機を提供できる（請求項１）。
【００２６】
また、天井部分を沿う気流が天井に結露した水分の蒸散を促進するという効果があり、使用時の水滴の滴下を防止するだけでなく、カビが発生しにくいという効果のある浴室換気暖房機を提供できる（請求項２）。
【００２７】
また、ルーバーの強度を上げることができるので、少ない材料でルーバーを作れるとともに、循環送風手段ならびに換気送風手段に効率的な風路となる吸込口を形成でき、風路抵抗が低減されて運転音の低減とファン運転効率が向上する効果のある浴室換気暖房機を提供できる（請求項３）。
【００２８】
また、循環送風手段と換気送風手段の近傍に吸込口が形成できるので、循環送風手段ならびに換気送風手段に効率的な風路となる吸込口を形成でき、風路抵抗が低減されて運転音の低減とファン運転効率が向上する効果のある浴室換気暖房機を提供できる（請求項４）。
【００２９】
また、ガイド部をルーバー保持手段に引っ掛けることでルーバーがほぼ本体取り付け位置に合致する状態となるので、ルーバーを本体にねじ止めするときに、本体のねじ穴を探す必要がなくなるとともにルーバーを支える必要が無くなりルーバー取り付けの作業性が向上するという効果があり、逆にメンテナンス時などねじを外す際などねじが機能してないときにも直ちにルーバーが外れ落下することがないという効果がある浴室換気暖房機を提供できる（請求項５、７）。
【００３０】
また、発熱部からの熱伝導や発熱体からの熱輻射の影響をルーバーが受けにくくなり、ルーバーの材質を樹脂なども用いることができるなど材質選択肢が広がりだけでなく、ルーバーから本体吹き出し部が出るように据え付ければ正しく据え付けられて機器が機能していると確認できるので、据付作業性が向上するという効果のある浴室換気暖房機を提供できる（請求項６）。
【００３１】
また、ルーバー下面の周辺が突出するので、ルーバー枠に結露した水滴が壁面に沿って滴下しにくくなり使い勝手が向上するだけでなく、天井部の接続部が見えにくくなり、据付時の意匠性が向上するという効果のある浴室換気暖房機を提供できる（請求項８）。
【発明を実施するための最良の形態】
【００３２】
本発明の請求項１記載の発明は、浴室の天井裏に配置され側面に排気口を備えた本体と、この本体内に設けられる換気送風手段、循環送風手段、および発熱手段と、前記本体の下部に形成される本体開口を覆い前記浴室側に露出して設けられ、前記本体開口に向かい合う下面を有し、この下面側から天井に向かって突出して前記下面と前記天井面との間をふさぐように四角枠状に形成されるルーバー枠を有するルーバーとを備える構成とし、このルーバー枠の端面すなわち稜線で天井面または本体と接する構成たものであり、天井面とルーバー間に空間が形成れず、空気がよどむ部分がなくなるので、水滴の付着残りや高湿度空気が抜けにくくてカビが発生しやすい部位がなくなるので、カビを抑制することができるという作用を有する。
【００３３】
また、本発明の請求項２記載の発明は、前記循環送風手段より前記発熱手段で加熱された空気を前記浴室内に吹き出すために前記ルーバーの前記下面に設けられる吹出口と、前記換気送風手段および前記循環送風手段によって強制的に前記浴室内の空気を吸い込むために前記ルーバーの前記ルーバー枠に開口して設けられる吸込口とを備える構成としたとしたものであり、ルーバーのルーバー枠は天井近傍にあって天井面に直立して開口しているので、循環送風手段を運転すると、発熱手段で加熱された空気はルーバー下面の吹出口から浴室内に吹き出し、拡散して浴室の壁面に沿って上昇する。この上昇した気流は天井面に達し、天井面に沿って吸込口に向かって流れ、循環送風手段に戻るので、浴室内をほぼ循環するようになり、天井部分においても天井に結露した水分と接して蒸散を促進する作用を有する。
【００３４】
また、本発明の請求項３記載の発明は、前記ルーバーの下面は、その中央側を下方に膨出させ、側方側を天井面に近づける湾曲面を形成する構成とするとともに、ルーバー枠の下端部は中央側から側方にかけて天井面に連続的に近づけるように湾曲させる構成とし、前記吸込口のその開口の高さ寸法を前記ルーバー枠の側方よりも中央側を大きく形成する構成としたものであり、湾曲面はルーバーの強度を上げることになるとともに、湾曲方向を中央側において下方に膨出することで、湾曲と直交するルーバー枠の吸込口を中央部で大きく形成できるようになり、ファンの吸込側に近い機器の中央部での開口面積が大きくなって循環送風手段ならびに換気送風手段に効率的な風路となる吸込口を形成できるという作用を有する。
【００３５】
また、本発明の請求項４記載の発明は、前記本体の一方側に前記発熱手段を配置し他方側に循環送風手段と換気送風手段と配置するとともに、前記循環送風手段と換気送風手段を配置する側に対応するように前記ルーバー枠に吸込口を設けた構成としたものであり、循環送風手段ならびに換気送風手段に対する吸込位置関係が効率的な風路となる吸込口を形成できるという作用を有する。
【００３６】
また、本発明の請求項５記載の発明は、前記本体部と前記ルーバーはねじによって固定され、前記本体の開口部のほぼ中心部にルーバー保持手段を設けるとともに、前記ルーバー保持手段に対応して、ルーバーのほぼ中央部に前記ルーバーの下面から突出するガイド部を設けた構成としたものであり、ルーバーを本体にねじで固定する際に、ガイド部をルーバー保持手段に取り付けると、ガイド部によってルーバーがほぼ本体取り付け位置に合致する状態で仮に保持させることができるようになる。
【００３７】
また、本発明の請求項６記載の発明は、前記発熱手段を配置した本体の一方側に対応する前記ルーバーの部位に、前記発熱手段の下端部が挿通する開口を設け、前記ルーバーを設置したときに前記発熱手段の下端部を前記ルーバーの下面から突出させた構成としたものであり、発熱手段を構成する部材とルーバー部材が空間で分離されて熱伝導を低減させるとともに、発熱手段の下端がルーバー下面より下側にある位置関係から発熱体からの熱輻射がルーバーに達しなくなるという作用を有するだけでなく、ルーバー下面から突出した状態でルーバーが正しく装着された状態であることを視認できるという作用を有する。
【００３８】
また、本発明の請求項７記載の発明は、前記ルーバー保持手段は第一の保持部と斜め案内面と第二の保持部で構成したもので、ルーバーを本体にねじで固定する際に、ガイド部を第一の保持部に取り付けると本体下面から少し離れた位置でルーバーが仮保持され、続けてガイドを斜め案内面に沿って上方にスライドする際に、発熱手段の下端部を回避して斜め上にルーバーが移動して、第二の保持部に装着されるという作用を有する。
【００３９】
また、本発明の請求項８記載の発明は、前記本体は下部開口側に天井面への取り付け用のフランジ部を有し、前記ルーバーの本体開口に向かい合う下面の面積が、前記ルーバー枠で囲われて形成される面積よりも大きくするとともに、上記したフランジ部で囲われて形成される面積よりも大きくしたものであり、ルーバー枠に結露した水滴が壁面に沿って滴下すると一旦ルーバーの壁面から下面のルーバー突出部上で受けられてここに溜まってバッファーの機能を有し直接滴下しなくなるという作用を有するとともに、ルーバーの壁面からの突出部が使用者の目線を遮り、天井部でのルーバーの接続部が見えにくくなるという作用を有する。
【００４０】
以下、本発明の実施の形態について図面を参照しながら説明する。
【００４１】
（実施の形態）
図１は本発明の浴室換気暖房機を示した斜視図であり、本体１は天井裏に配置されていて、前記本体１の側面２には排気口３が備えられており、排気口３には屋外に導通するダクト（図省略）が接続される。前記本体１内部には、前記排気口３と吹出側で接続している換気送風手段である換気用送風機４と循環送風手段である循環用送風機５を一方側に併設するとともに、他方側には発熱手段としてヒーターユニット６が配置してある。前記換気用送風機４の換気用送風機吸込口７と前記循環用送風機５の換気用送風機吸込口８はともに前記本体１の下部開口部９に位置している。
【００４２】
前記下部開口部９の縁にはフランジ部１０が形成してあり、前記フランジ部１０には天井取付用ねじ穴１１を設けるとともに、ルーバー１２を固定するルーバー取付ねじ部１３が設けてある。また、下部開口部９のほぼ中心部にはルーバー保持手段としてルーバー引掛金具１４が設けてある。
【００４３】
前記ルーバー１２には、中央部を下側に膨出させた湾曲面で形成されるルーバー下面１５を前記本体１の下部開口部９を覆うように形成し、前記ルーバー下面１５には吹出口としてヒーターユニット用開口部１６をヒーターユニット枠体１７との間に隙間が生じるように設けるとともに、前記ルーバー下面１５と前記本体１との間には天井側に向かって突出した四角枠状に形成されるルーバー枠１８が構成してあり、前記ルーバー枠１８が本体１の下端となるフランジ部１０に接してルーバー下面１５との間をふさいでいる。また、前記ルーバー下面１５には前記ルーバー取付ねじ部１３に一致させてルーバー取付ねじ穴１９が設けてある。
【００４４】
ルーバー下面１５の湾曲面軸２０と直交するルーバー側面２１は、ルーバー枠１８に並行して設けられ、下端稜２２はルーバー下面１５と交わり、中央側から側方にかけて天井面に連続的に近づけるように湾曲させる構成とし、他方の上端稜２３は中央部を天井に近づける曲線を構成しており、側面吸込口２４が設けてある。この側面吸込口２４の裏側はルーバー枠１８であり、開口して通風できるようにしてあり、ルーバー側面２１の形状から前記側面吸込口２４の開口の高さ寸法２５は前記ルーバー側面２１すなわちルーバー枠１８の側方よりも中央側を大きく形成する構成となる。本実施の形態では、前記側面吸込口２４は、ルーバー側面２１とその反対側の側面に対称に設ける（図示省略）とともに、吸込風量を確保するとともに天井面近傍の循環気流を弱くするためにルーバー下面１５にも下面吸込口２６を設けてあるが、ルーバー枠１８の前記湾曲面軸２０に並行な面に前記換気用送風機吸込口７と循環用送風機吸込口８に対応して設けても構わない。
【００４５】
図２は本発明による浴室換気暖房機のルーバー１２の裏側を、本体１のヒーターユニット６の一部分およびルーバー引掛金具１４とともに斜視図で示しており、前記本体１の下部開口部９のほぼ中心部に位置するルーバー引掛金具１４に対応して、ルーバー１２のほぼ中央部に突出するガイド部２７が設けてある。前記ガイド部２７のガイド部側面２８は前記ルーバー引掛金具と面接触するとともに、前記ガイド部側面２８には前記ルーバー引掛金具１４が挿入できる開口部２９が設けてあり、開口部２９の幅は引掛幅３０とほぼ同じ寸法としてこの寸法線方向の動きを規制し、ルーバー１２を装着する際のガイド機能を持たせている。
【００４６】
図３は本発明による浴室換気暖房機のルーバー引掛金具１４へのガイド部２７の取付方法を示す断面図で、ルーバー引掛金具１４には第一の保持部として第一引掛部３１があり、その先端は斜め上方へ折り曲がっていてガイド部２７が外れにくくなっている。前記第一引掛部３１に連なって斜め案内面３２が形成され、さらに連なって第二の保持部である第二引掛部３３が形成されており、第二引掛部３３のその先の他端は直立片３４に形成され、この部分で本体１に取り付けられている。前記ルーバー１２を取り付けるには、第一引掛部３１にガイド部２７を引掛けてルーバー仮止位置３５に置く、次に斜め案内面３２に沿うようにスライド方向３６にルーバー１２を移動させると第二引掛部３３にガイド部２７が保持されるとともに直立片３４に面接触してルーバーねじ止め位置３７に保持される。ルーバー１２の位置がルーバーねじ止め位置３７にあると、前記ルーバー取付ねじ部１３とルーバー取付ねじ穴１９が一致するように設計してある。なお、第一引掛部３１と第二引掛部３３の位置寸法差Ｈｍｍは、ルーバー１２を引掛ける際のガイド部２７とルーバー引掛金具１４との位置関係確認の視認性の確保できる寸法として設計され、斜め案内面３２の傾斜角度θと第二引掛部３３の奥行きＬは、ルーバー１２をスライドする際に、発熱手段の下端部を回避できる寸法として設計される。
【００４７】
図４は本発明による浴室換気暖房機の据付状態を示した循環用送風機５部分での断面図であり、本体１はフランジ部１０を浴室内３８側に出して天井３９の据付開口部４０に設置されている。前記循環用送風機５は、天面側４１に設けられたモーター４２にファン４３を直結しているとともに、ファン４３の下側を吸込側としてオリフィス板４４を設け、吹出側４５は前記ヒーターユニット６に接続してある。ヒーターユニット６は、前記吹出側４５の接続部分が開口されて導通するとともに、ヒーターユニット下面４６も開放された筐体構造であり、内部には発熱体としてハロゲンヒーター４７ａ、４７ｂが取り付けられ、前記ハロゲンヒーター４７ａ、４７ｂの背面には、通風量を確保する通風スリット４８を適宜そなえてある反射板４９がヒーターからの熱線をヒーターユニット下面４６側に反射させる形状に形成されて設けられるとともに、ヒーターユニット下面４６の開口部には鉄線材で格子状に作られたガード５０が取り付けられている。
【００４８】
ルーバー１２は、ルーバー枠１８がフランジ部１０に当たって取り付いているので、前記ルーバー枠内が本体内吸込風路５１となる。ヒーターユニット用開口部１６とヒーターユニット枠体１７との間には熱伝導を防止するように隙間はσ１が設計され、確実にルーバーが据付られたときには前記ルーバー下面１５からヒーターユニット下面４６をσ２突出す（約２ｍｍ程度）ように設計してある。
【００４９】
上記構成において、機器を運転するとファン４３が回転し、側面吸込口２４から浴室内３８の空気が吸引され、吹出側４５からヒーターユニット６に入り、反射板４９の通風スリット４８を通過してハロゲンヒーター４７ａ、４７ｂで加熱されたのち、ヒーターユニット下面４６から浴室内３８に暖房空気として吹き出す。吹き出した空気は浴室内３８を拡散して降下し浴室の壁面に沿って上昇する。上昇した空気は天井３９に達し、天井３９近傍に位置する側面吸込口２４に戻るので、浴室内をほぼ循環する気流が形成される。
【００５０】
このとき前記側面吸込口２４はルーバー１２の中央部において面積が大きいので、ファン４３への吸気のうちこの部分で吸込まれた気流は本体内吸込風路５１をヒーターユニット枠体１７に沿って中央部すなわち側面吸込口２４の反対側まで到達してからファン４３に吸込まれる気流が形成されやすくなる。前記側面吸込口２４の端側すなわち中央部に比べ面積の小さいところから吸込まれた空気はそのままファン４３に吸引していると考えられる。なお、この吸込みをさらに効率化、ないしは側面からの風速を弱める場合は、ルーバー下面１５に別途下面吸込口２６を設ければよく、その下面吸込口２６は、前記側面吸込口２４からの空気の流れを考えればファン４３の吸込み口に対応した部位であるとともに、中央側から外側に寄ったところで構わず、吹出口であるヒーターユニット下面４６から離すことができる。
【００５１】
また、ルーバー枠１８の内側は本体１内の空間であり、ルーバー枠１８の外側は浴室内３８に導通した空間であるとともに、天井近傍でも循環による気流とそれに誘引される気流が形成させており、天井との間には空気がよどむ空間部が形成されない。
【００５２】
また、ハロゲンヒーター４７ａ、４７ｂに通電するとヒーター自体が高温になり循環気流が加熱されるとともに輻射熱が放射されるが、ヒーターユニット下面４６がルーバー下面１５よりも突出していうので、開口部においてこの輻射熱がルーバーを直射することなく浴室内３８に放射され、ルーバー１２自体が熱影響を受けない。
【００５３】
また、ルーバー枠１８がフランジ部１０と接して設置されるので、寸法関係は天井厚さなど据付現場でのバラツキの影響を受けないので、正確なルーバー設置が出来、逆に正確に取り付いていないとヒーターユニット下面４６が正規の位置にないことになる。なお、本実施の形態ではルーバー枠１８はフランジ部１０に当てるようにしたが、フランジ部１０の外周にそってルーバー枠１８を形成し、ルーバー枠１８を天井にあてるようにしても構わない。
【産業上の利用可能性】
【００５４】
浴室にとりつけた換気装置の用途にも適用できる。
【図面の簡単な説明】
【００５５】
【図１】本発明の実施の形態の浴室換気暖房機を示した斜視図
【図２】同浴室換気暖房機の裏側を示した斜視図
【図３】同浴室換気暖房機のルーバー取付方法を示す断面図
【図４】同浴室換気暖房機の据付方法を示す断面図
【図５】従来の浴室換気暖房機を示す断面図
【符号の説明】
【００５６】
１  本体
３  排気口
４  換気用送風機
５  循環用送風機
６  ヒーターユニット
９  下部開口部
１０  フランジ部
１２  ルーバー
１４  ルーバー引掛金具
１５  ルーバー下面
１６  ヒーターユニット用開口部
１８  ルーバー枠
２０  湾曲面軸
２１  ルーバー側面
２４  側面吸込口
２５  開口の高さ寸法
２７  ガイド部
３１  第一引掛部
３２  斜め案内面
３３  第二引掛部
３６  スライド方向  
３８  浴室内
３９  天井
４６  ヒーターユニット下面
４７ａ、４７ｂ  ハロゲンヒーター
【図１】
2006038245.tif 000003
【図２】
2006038245.tif 000004
【図３】
2006038245.tif 000005
【図４】
2006038245.tif 000006
【図５】
2006038245.tif 000007